(57)【要約】【課題】複数種類の薬剤を確実に判別する。【解決手段】薬剤を判別する薬剤判別システムであって、薬剤の電磁波周波数特性を認識する認識装置４と、複数種類の薬剤の電磁波周波数特性が複数種類の薬剤毎に登録されたデータベース６と、認識装置４にて認識された電磁波周波数特性とデータベース６に登録された電磁波周波数特性とを照合することにより、薬剤を判別する照合判別装置５とを有する。【選択図】図１
2010091516.tif 000002
【特許請求の範囲】
【請求項１】
薬剤を判別する薬剤判別システムであって、
前記薬剤の電磁波周波数特性を認識する認識手段と、
複数種類の薬剤の電磁波周波数特性が前記複数種類の薬剤毎に登録されたデータベースと、
前記認識手段にて認識された電磁波周波数特性と前記データベースに登録された電磁波周波数特性とを照合することにより、前記薬剤を判別する判別手段とを有する薬剤判別システム。
【請求項２】
請求項１に記載の薬剤判別システムにおいて、
前記認識手段は、前記薬剤に電磁波を照射し、当該薬剤における反射波を受信することにより当該薬剤の電磁波周波数特性を認識するスペクトラム検知器を有する薬剤判別システム。
【請求項３】
請求項２に記載の薬剤判別システムにおいて、
前記薬剤に照射される電磁波をαとし、前記薬剤における反射波をβとした場合、前記電磁波周波数特性は、β／αである薬剤判別システム。
【請求項４】
請求項１乃至３のいずれか１項に記載の薬剤判別システムにおいて、
前記判別手段にて判別された薬剤の種類を表示出力する表示手段を有する薬剤判別システム。
【請求項５】
薬剤を判別する薬剤判別方法であって、
前記薬剤の電磁波周波数特性を認識するステップと、
複数種類の薬剤の電磁波周波数特性が前記複数種類の薬剤毎に登録されたデータベースを参照し、前記認識された電磁波周波数特性と前記データベースに登録された電磁波周波数特性とを照合することにより、前記薬剤を判別するステップとを有する薬剤判別方法。
【請求項６】
薬剤を判別するためのコンピュータに、
前記薬剤の電磁波周波数特性を認識する手順と、
複数種類の薬剤の電磁波周波数特性が前記複数種類の薬剤毎に登録されたデータベースを参照し、前記認識された電磁波周波数特性と前記データベースに登録された電磁波周波数特性とを照合することにより、前記薬剤を判別する手順とを実行させるためのプログラム。
【発明の詳細な説明】
【技術分野】
【０００１】
本発明は、薬剤を判別する薬剤判別システム、薬剤判別方法及びプログラムに関し、特に、薬剤固有の電磁波周波数特性を用いて薬剤を判別する技術に関する。
【背景技術】
【０００２】
市販されたり調剤されたりして個人が入手可能な薬剤においては、その種類によって効能が互いに異なるものの、色や形が種類毎に異なるわけではない。そのため、個人が複数種類の薬剤を所持し、この薬剤の色や形が同じであったり酷似している場合、その薬剤が容器から散乱したり、容器にかかれた印字が消える等して正しく認識できなくなると、薬剤を誤飲してしまう虞れが生じる。薬剤を誤飲してしまうと、それが原因で健康を害したり致命傷になったりしてしまうことになる。
【０００３】
ここで、薬剤の物質成分のもつ固有の電磁波周波数特性は一般的に知られている。そこで、薬剤に対して電磁波を照射して薬剤の情報を取得する技術が、例えば特許文献１に記載されている。この技術を用いれば、薬剤が認識できなくなった場合に、その薬剤に電磁波を照射して薬剤の情報を取得することができるようになる。
【特許文献１】特開２００８−８３０２０号公報
【発明の開示】
【発明が解決しようとする課題】
【０００４】
しかしながら、上述したような技術を用いた場合であっても、薬剤の情報を取得することができるものの、その薬剤が、個人が所持している薬剤のうちどの薬剤であるかを判別することができず、誤飲を防止できるとは言い難い。
【０００５】
本発明は、上述したような技術が有する問題点に鑑みてなされたものであって、複数種類の薬剤を確実に判別することができる薬剤判別システム、薬剤判別方法及びプログラムを提供することを目的とする。
【課題を解決するための手段】
【０００６】
上記目的を達成するために本発明は、
薬剤を判別する薬剤判別システムであって、
前記薬剤の電磁波周波数特性を認識する認識手段と、
複数種類の薬剤の電磁波周波数特性が前記複数種類の薬剤毎に登録されたデータベースと、
前記認識手段にて認識された電磁波周波数特性と前記データベースに登録された電磁波周波数特性とを照合することにより、前記薬剤を判別する判別手段とを有する。
【０００７】
また、薬剤を判別する薬剤判別方法であって、
前記薬剤の電磁波周波数特性を認識するステップと、
複数種類の薬剤の電磁波周波数特性が前記複数種類の薬剤毎に登録されたデータベースを参照し、前記認識された電磁波周波数特性と前記データベースに登録された電磁波周波数特性とを照合することにより、前記薬剤を判別するステップとを有する。
【０００８】
また、薬剤を判別するためのコンピュータに、
前記薬剤の電磁波周波数特性を認識する手順と、
複数種類の薬剤の電磁波周波数特性が前記複数種類の薬剤毎に登録されたデータベースを参照し、前記認識された電磁波周波数特性と前記データベースに登録された電磁波周波数特性とを照合することにより、前記薬剤を判別する手順とを実行させるためのプログラム。
【発明の効果】
【０００９】
本発明は、以上説明したように構成されているので、色や形が同じ薬剤でも確実に判別することができ、誤飲を防止することができる。
【発明を実施するための最良の形態】
【００１０】
以下に、本発明の実施の形態について図面を参照して説明する。
【００１１】
図１は、本発明の薬剤判別システムの実施の一形態を示す図である。
【００１２】
本形態は図１に示すように、薬剤となる錠剤Ａ，Ｂ，Ｃの成分をそれぞれスペクトラム分析して錠剤Ａ，Ｂ，Ｃの電磁波周波数特性を認識する認識装置４と、複数種類の薬剤の電磁波周波数特性が複数種類の薬剤毎に登録されたデータベース６と、認識装置４にて認識された電磁波周波数特性とデータベース６に登録された電磁波周波数特性とを照合することにより、錠剤Ａ，Ｂ，Ｃを判別する判別手段である照合判別装置５と、照合判別装置５にて判別された錠剤Ａ，Ｂ，Ｃの種類を表示出力する表示装置９とから構成されている。また、認識装置４は、錠剤Ａ，Ｂ，Ｃを格納する被検査収納器１と、送信部７及び受信部８を具備し、送信部７から錠剤Ａ，Ｂ，Ｃに電磁波を照射し、錠剤Ａ，Ｂ，Ｃにおける反射波を受信部８にて受信することにより錠剤Ａ，Ｂ，Ｃの成分をそれぞれスペクトラム分析するスペクトラム検知器３と、方向性結合器１０とから構成されている。
【００１３】
以下に、上記のように構成された薬剤判別システムにおける薬剤判別方法について説明する。
【００１４】
図２は、図１に示した薬剤判別システムにおける薬剤判別方法を説明するためのフローチャートである。
【００１５】
錠剤Ａ，Ｂ，Ｃのうち判別をしたい錠剤が被検査収納器１に収納された状態で、この錠剤に対して、振幅α１を有する電磁波２がスペクトラム検知器３の送信部７から方向性結合器１０を介して周波数掃引照射される（ステップＳ１）。
【００１６】
錠剤に照射された電磁波２は錠剤にて反射し、その反射波β１は、方向性結合器１０の特性機能によって分離され、スペクトラム検知器３の受信部８にて受信、検知される（ステップＳ２）。
【００１７】
そして、スペクトラム検知器３において、β１／α１の差分値によって錠剤の電磁波周波数特性が認識され（ステップＳ３）、認識結果が認識装置４の出力として照合判別装置５に入力される。
【００１８】
すると、照合判別装置５において、認識装置４から入力された電磁波周波数特性と、データベース６に登録された電磁波周波数特性とが照合される（ステップＳ４）。上述したように、薬剤の物質成分のもつ固有の電磁波周波数特性は一般的に知られている。
【００１９】
図３は、図１に示した錠剤Ａ，Ｂ，Ｃが有する電磁波周波数特性を示す図である。
【００２０】
図１に示した錠剤Ａ，Ｂ，Ｃは図３に示すように、その種類によって互いに異なる電磁波周波数特性を有している。そして、データベース６には、複数種類の薬剤の電磁波周波数特性が複数種類の薬剤毎に登録されている。
【００２１】
そこで、照合判別装置５において、認識装置４から入力された電磁波周波数特性と、データベース６に登録された電磁波周波数特性とが照合されることにより、データベース６に登録された電磁波周波数特性のうち、認識装置４から入力された電磁波周波数特性と一致する薬剤が、被検査収納器１に収納された錠剤であると判別される（ステップＳ５）。
【００２２】
その後、表示装置９において、照合判別装置５にて判別された錠剤の種類が表示出力され（ステップＳ６）、それにより、被検査収納器１に収納された錠剤の種類を認識することができる。
【００２３】
このように、本形態においては、被検査収納器１に収納された錠剤に対して電磁波２を照射してその反射波を受信することにより、錠剤の電磁波周波数特性を認識し、その電磁波周波数特性をデータベース６に登録された電磁波周波数特性と照合して錠剤を認識するため、色や形が同一であって、可視的、重量的に通常の人間の感覚で判別できない錠剤であっても、電磁波周波数特性によって判別することができ、誤飲などの被害を防止することができる。
【００２４】
なお、本形態においては、被検査収納器１に収納されて判別される薬剤として、錠剤Ａ，Ｂ，Ｃを例に挙げて説明したが、本発明にて判別される薬剤は錠剤に限らない。
【００２５】
なお、本発明においては、認識装置４及び照合判別装置５内の処理は上述の専用のハードウェアにより実現されるもの以外に、その機能を実現するためのプログラムを認識装置４及び照合判別装置５にて読取可能な記録媒体に記録し、この記録媒体に記録されたプログラムを認識装置４及び照合判別装置５に読み込ませ、実行するものであっても良い。認識装置４及び照合判別装置５にて読取可能な記録媒体とは、ＩＣカードやメモリカード、あるいは、フロッピーディスク（登録商標）、光磁気ディスク、ＤＶＤ、ＣＤなどの移設可能な記録媒体の他、認識装置４及び照合判別装置５に内蔵されたＨＤＤ等を指す。この記録媒体に記録されたプログラムは、例えば、制御ブロックにて読み込まれ、制御ブロックの制御によって、上述したものと同様の処理が行われる。
【産業上の利用可能性】
【００２６】
本発明は、医薬錠剤に限らず、金属以外の固体、気体、液体等の物質における電磁周波数特性の反射特性を予め備えたデータベースとの照合により迅速に物質の特性を識別・特定することに利用可能である。
【図面の簡単な説明】
【００２７】
【図１】本発明の薬剤判別システムの実施の一形態を示す図である。
【図２】図１に示した薬剤判別システムにおける薬剤判別方法を説明するためのフローチャートである。
【図３】図１に示した錠剤が有する電磁波周波数特性を示す図である。
【符号の説明】
【００２８】
１    被検査収納器
２    電磁波
３    スペクトラム検知器
４    認識装置
５    照合判別装置
６    データベース
７    送信部
８    受信部
９    表示装置
１０    方向性結合器
Ａ，Ｂ，Ｃ    錠剤
【図１】
2010091516.tif 000003
【図２】
2010091516.tif 000004
【図３】
2010091516.tif 000005